(57)【要約】【課題】洗い物を行うに十分なスペースおよび視界を確保するとともに、浄水器のぐらつきやゆるみを防止し、汚れにくくデザイン性にも配慮し、更には給水管の回転角度を大きくすることが可能な浄水器を提供する。【解決手段】浄水器１は、前カバー１０と後カバー１１とで覆われた切替弁を有した本体と、下方に浄水または原水が排出される吐水口４１と、水道水栓の操作側から見て右側面に設けられた弁操作ハンドル３０と、本体の上方に配置した浄化カートリッジ５０と、水道水栓から流入した原水を本体に給水するための給水管２０と、給水管２０の水道水栓との連結部に配置される袋ナット６０、パッキン６１およびストッパとを備えている。給水管２０は、水道水栓から原水を流入する流入口近傍で湾曲させた第一湾曲部と、本体との連結部近傍で湾曲させた第二湾曲部とを有している。【選択図】          図１
2004237255.tif 000002
【特許請求の範囲】
【請求項１】
水道水栓に連結する給水管と、流路切替機構を有する本体と、前記本体に接続された浄化カートリッジと、原水を吐水する流路と原水を浄化カートリッジを経由して吐水する流路に切替る操作ハンドルとを備えたことを特徴とする浄水器。
【請求項２】
前記本体と連結される側の給水管先端が、前記本体の内部に挿入されて、前記本体と前記給水管とが接続されていることを特徴とする請求項１記載の浄水器。
【請求項３】
前記給水管は、水道水栓から原水を流入する流入口近傍で湾曲させた第一湾曲部と、前記本体との連結部近傍で湾曲させた第二湾曲部とを有し、第二湾曲部近傍の水平部を前記本体と連結し、第二湾曲部を第一湾曲部より上方に位置させて、前記本体を前記水道水栓より高い位置に配置したことを特徴とする請求項１または２に記載の浄水器。
【請求項４】
少なくとも前記第一湾曲部近傍及び前記第二湾曲部近傍において、前記給水管の管厚を厚くしたことを特徴とする請求項３記載の浄水器。
【請求項５】
前記浄化カートリッジを前記給水管の軸上に配置したことを特徴とする請求項１から４のいずれかに記載の浄水器。
【請求項６】
前記操作ハンドルが、水道水栓の操作側から見て前記本体の正面に設けられたことを特徴とする請求項１から５のいずれかに記載の浄水器。
【請求項７】
前記操作ハンドルは９０°未満の回転角で流路の切替を行うことを特徴とする請求項１から６のいずれかに記載の浄水器。
【請求項８】
前記本体を覆うカバーを、前記本体と一体成形したことを特徴とする請求項１から７のいずれかに記載の浄水器。
【発明の詳細な説明】
【０００１】
【発明の属する技術分野】
本発明は、水道水栓の吐水管に直接取付けて、水道水中の残留塩素、鉄分や微細なごみ等を除去する浄水器に関する。
【０００２】
【従来の技術】
従来より、水道水栓に直接取付ける浄水器として、本体の上部に水道水栓の給水管の先端取付部を設け、本体の下部に浄水放水部を設けた構造が知られている。このうち、特許文献１では、給水管方向に浄化カートリッジを配置した浄水器が開示され、特許文献２では、本体に対し浄化カートリッジを縦型にして本体斜め後方奥部に配置した浄水器が開示されている。
また、特許文献３では、本体に対し浄化カートリッジを吐水口近傍に縦型に配置し、原水と浄水を切替るレバーを操作者正面に配置する構成が示されている。これらの浄水器はいずれも給水管の先端部分に取付ける構造であるため、本体部分が給水管の先端より下方向へ突出した構成となっている。
また、特許文献４には、給水管が浄化カートリッジ内部を貫通する形で一体化した浄水器が開示され、外観上、給水管の直径が浄化カートリッジの直径となる構成が示されている。
【０００３】
【特許文献１】
特公平４−８１１９号公報（発明の開示部分）
【特許文献２】
実開平６−８５０８２号公報（段落番号０００５〜００１２）
【特許文献３】
実開平６−１５４７３８号公報（段落番号０００６〜００３９）
【特許文献４】
実開昭５９−７４８２２号公報（第１頁第１０行〜第７頁第１３行）
【０００４】
【発明が解決しようとする課題】
しかし、上記従来例では、浄水器を給水管の水平方向から下方向へ曲がった先端部分へ取付ける構造となっており、浄水器の吐水口が給水管の先端部分より本体の高さ分ほど下方となるため、浄水器取付け前に比べ皿等を洗うスペースが狭くなってしまう。つまり洗い物を行う際にスペース上の制約を生じてしまう。また浄化カートリッジが本体の側方に縦型に配置される場合においては、出っ張りができるため、洗い物が見づらいことが問題となっていた。
また、給水管に浄水器を使用者が主に手で取付けるようになっており、そのため、取付強度も限られており不十分な取付状態で使用されることが多い。その結果、使用中に浄水器がぐらついてしまったり、取付部のゆるみによる漏水などが発生することが問題となっていた。
また、給水管と浄水器の接続部が煩雑となり、見栄えが悪いだけでなく、凹凸が多く汚れが溜まりやすいことが使用者の不満としてあがっていた。
【０００５】
また、給水管が浄化カートリッジ内部を貫通する形で一体化した浄水器においては、給水管が太くなるため、水道水栓に取付けた場合に湯または水の導水管に干渉して回転角度が狭くなるとともに、デザイン性にかけるという問題点があった。
【０００６】
そこで、本発明においては、洗い物を行うに十分なスペースおよび視界を確保するとともに、浄水器のぐらつきやゆるみを防止し、汚れにくくデザイン性にも配慮し、更には給水管の回転角度を大きくすることが可能な浄水器を提供することを目的とする。
【０００７】
【課題を解決するための手段】
上記課題を解決するため、本発明の浄水器は、水道水栓に連結する給水管と、流路切替機構を有する本体と、前記本体に接続された浄化カートリッジと、原水を吐水する流路と原水を浄化カートリッジを経由して吐水する流路に切替る操作ハンドルとを備えたことを特徴とする。
給水管に浄水器をあらかじめ強固に取付けていることにより、浄水器がぐらついたり、緩んで漏水に至ることを防止することができる。
【０００８】
本発明の浄水器は、前記本体と連結される側の給水管先端が、前記本体の内部に挿入されて、前記本体と前記給水管とが接続されていることを特徴とする。
この接続により、給水管をナットを用いて浄水器の外周部に取付ける際に生じていた問題点、すなわち、構成が複雑となって、凹凸が多く、汚れが溜まりやすく、掃除がしにくいなどの欠点を解決し、外観上も優れた構造とすることができる。
【０００９】
本発明の浄水器においては、前記給水管は、水道水栓から原水を流入する流入口近傍で湾曲させた第一湾曲部と、前記本体との連結部近傍で湾曲させた第二湾曲部とを有し、第二湾曲部近傍の水平部を前記本体と連結し、第二湾曲部を第一湾曲部より上方に位置させて、前記本体を前記水道水栓より高い位置に配置したことを特徴とする。
この構成により、洗い物をするための空間を広くとることができ、作業性が向上する。
【００１０】
本発明の浄水器は、少なくとも前記第一湾曲部近傍及び前記第二湾曲部近傍において、前記給水管の管厚を厚くしたことを特徴とする。
これにより、給水管、本体、浄化カートリッジの自重、操作ハンドルによる流路切替操作時、および浄化カートリッジ交換時にかかる荷重によって応力集中する部分の強度を向上することができる。
【００１１】
本発明の浄水器は、前記浄化カートリッジを前記給水管の軸上に配置したことを特徴とする。
これにより、給水管の側方へ浄化カートリッジが出っ張ることを抑えることができるため、浄水器を使用する際に、使用者から見たときの浄水器の投影面積を小さくすることができ、視界を確保しやすい。
【００１２】
本発明の浄水器は、前記操作ハンドルが、水道水栓の操作側から見て前記本体の正面に設けられていることを特徴とする。
操作ハンドルを正面に配置したことで、右利き使用者のみならず左利き使用者に対しても、切替が容易に行えるため、操作性が向上する。
【００１３】
本発明の浄水器においては、前記操作ハンドルは９０°未満の回転角で流路の切替を行うことを特徴とする。
この構成により、操作ハンドルを少ない回転角度で切替ることが可能となるため、操作性が向上する。
【００１４】
本発明の浄水器においては、前記本体を覆うカバーを、前記本体と一体成形したことを特徴とする。
本体とカバーとを一体成形したことによって、組立て工数の削減および部品点数が削減できるため、コストの削減が可能である。
また、複数のカバーで構成した場合に比べ、カバーとカバーの合わせ部の接合部のラインがなくなりデザイン性および品位が向上する。
【００１５】
【発明の実施の形態】
以下、本発明の実施の形態に係る浄水器を、図１〜図１５を用いて説明する。
本発明の第１実施形態について、図１〜図３を用いて説明する。
図１は、本発明の第１実施形態に係る浄水器の外観図であり、図２は同分解図、図３は同全体断面図である。
図１〜図３において、浄水器１は、前カバー１０と後カバー１１とで覆われた切替弁７０を有した本体１２と、下方に浄水または原水が排出される吐水口４１と、水道水栓の操作側から見て右側面に設けられた弁操作ハンドル３０と、本体１２上方に配置した浄化カートリッジ５０と、水道水栓から流入した原水を本体１２に給水するための給水管２０と、給水管２０の水道水栓との連結部に配置される袋ナット６０、パッキン６１およびストッパ６２とを備えている。
【００１６】
また、図２の分解図において示すように、本体１２の下方には吐水継手１３を介して吐水キャップ４０が取付けられ、この吐水キャップ４０の下端に吐水口４１が設けられている。本体１２の内部には切替弁７０が取付けられ、切替弁７０には、弁押え３３を介して弁操作ハンドル３０が接合され、弁操作ハンドル３０の表面側には蓋３１が取付けられている。
さらに、給水管２０は、袋ナット６０、ストッパ６２、パッキン６１を介して水道水栓と連結される。
【００１７】
図３に示すように、本体１２との連結部において、給水管２０は水平となるように形成されている。従って、本体１２に対して、給水管２０の水平部Ａが連結する。また、給水管２０はネジ２２により本体１２に固定されている。
給水管２０は、本体１２との連結部近傍において、水道水栓との連結部側を下方に向けて湾曲させた湾曲部Ｂと、水道水栓との連結部近傍において湾曲部Ｂから下方に伸びた部分を上方に湾曲させた湾曲部Ｃとを有している。
給水管２０をこのような構造とすることによって、本体１２が水道水栓の位置より高い位置となり、吐水口４１を水平に保ち、かつ吐水口４１を高い位置に維持することができる。これにより、洗い場スペースを広く確保することが可能となる。
【００１８】
以上の構成の浄水器において、給水管２０と本体１２とは予め強固に取付けられているため、本体１２がぐらついたり、緩んで漏水に至るようなことを防止できる。また、浄化カートリッジ５０が本体１２上方に位置しているため、側方への出っ張りを抑えられる。そのため、浄水器を使用する際に、使用者からの見たときの浄水器の投影面積を小さくすることができるため、視界を確保しやすい。
【００１９】
また、本体１２と連結される側の給水管２０の先端が、本体１２の内部に挿入されて、本体１２と給水管２０とが接続されているため、凹凸を減らすことができ、汚れにくく、清掃がしやすく、清潔感が向上する。また、デザイン性も向上する。
さらに、給水管が細いため、図１２に示すように、水道水栓を支点として給水管２０が回転する形態で使用される場合、水道水栓を支点としての給水管２０の回転角度を大きくとることができ、洗い場スペースを広く使用することが可能である。また、構成がシンプルであり、デザイン性が優れた外観とすることができる。
【００２０】
また、給水管２０の別の形状として、図１３のように、湾曲部の形成を水道水栓との接続部近傍の湾曲部Ｃのみとした場合には、本体１２が給水管２０に対し水平に連結していることによって、吐水口４１からの流出方向が垂直に対して前方に傾き、吐水を目視しやすくなるため、洗い物等がしやすい。
なお、給水管２０の湾曲部Ｂの曲げ角度を変更したり、本体１２の給水管２０の接続部の角度を変更したりして吐水口４１からの流出方向を傾けるようにしても良い。
【００２１】
さらに、給水管２０の別の形状として、水道水栓からの原水の流入口近傍において、管の厚みを厚くすることで、給水管２０、本体１２、浄化カートリッジ５０の自重も含め弁操作ハンドル３０による流路切替操作時および浄化カートリッジ５０の交換時にかかるに荷重によって応力集中する部分の強度を向上することができる。
【００２２】
次に、本発明の第２実施形態について、図４〜図６を用いて説明する。
図４は、本発明の第２実施形態に係る浄水器の外観図であり、図５は同分解図、図６は同全体断面図である。
図４〜図６において、弁操作ハンドル１３０を正面に配置した構成の浄水器を示す。
浄水器２は、切替弁１７０を有した本体１１２と、下方に浄水または原水が排出される吐水口１４１と、水道水栓の操作側から見て正面に設けられた弁操作ハンドル１３０と、本体１１２上方に配置した浄化カートリッジ１５０と、水道水栓から取り入れた原水を本体１１２に給水するための給水管２０と、給水管２０の水道水栓との連接部に配置される袋ナット１６０、パッキン１６１およびストッパ１６２とを備えている。
【００２３】
また、図５の分解図において示すように、本体１１２の下方には吐水キャップ１４０が取付けられ、この吐水キャップ１４０の下端に吐水口１４１が設けられている。本体１１２の内部には切替弁１７０が取付けられ、切替弁１７０には、弁押え１３３を介して弁操作ハンドル１３０が接合され、弁操作ハンドル１３０の表面側には蓋１３１が取付けられている。
さらに、給水管２０は、袋ナット１６０、ストッパ１６２、パッキン１６１を介して水道水栓と連結される。
図６に示すように、本体１１２との連結部において、給水管２０は水平となるように形成されている。従って、本体１１２に対して、給水管２０の水平部Ａが連結する。また、給水管２０はネジ１２２により本体１１２に固定されている。
【００２４】
給水管２０は、本体１１２との連結部近傍において水道水栓との連結部側を下方に向けて湾曲させた湾曲部Ｂと、水道水栓との連結部近傍において湾曲部Ｂから下方に伸びた部分を上方に湾曲する湾曲部Ｃとを有している。
給水管２０をこのような構造とすることによって、本体１１２が水道水栓の位置より高い位置となり、吐水口１４１を水平に保ち、かつ吐水口１４１を高い位置に維持することができる。これにより、洗い場スペースを広く確保することが可能となる。
【００２５】
本実施形態においては、第１実施形態の効果に加え、弁操作ハンドル１３０を水道水栓の操作側から見て正面に配置したことにより、操作する者が右利きであるか、左利きであるかに関係なく操作することができ、操作性が向上する。
また、本実施形態においても、浄化カートリッジ１５０が本体１１２上方に位置しているため、側方へ出っ張りがなくなる。そのため、浄水器を使用する際に、使用者からの見たときの浄水器の投影面積を小さくすることができるため、視界を確保しやすい。
また、給水管の取り回しにおいて、給水管が細いため第１実施形態と同様、図１２に示すように、水道水栓を支点として給水管２０が回転する形態で使用される場合、水道水栓を支点としての給水管２０の回転角度を大きくとることができ、洗い場スペースを広く確保することが可能である。また、構成がシンプルであり、デザイン性が優れた外観とすることができる。
【００２６】
また、弁操作ハンドル１３０の側方には、操作用レバーが２本設けられている。これにより、使用者が弁操作をネジを回す要領で操作を行うことができ、操作性が向上する。なお、レバーの数は２本に限定されるものではなく、操作の必要に応じて適宜定めることができる。
【００２７】
なお、本体１１２は、第１実施形態において図１に示した本体１２と、前カバー１０、後カバー１１、吐水継手１３を一つの部品とした形成したものである。このように一体成形することによって、例えば、製造材料として樹脂を使用した場合に、一体成形によるコストの削減が可能となる。
なお、一体成形する部品は上記した部品に限ったものではなく、様々な組み合わせが可能である。また、この形態は従来例に示したような給水管先端に取付ける浄水器にも転用が可能である。
また、本体１１２は樹脂成形金型構成上、通水路を確保するために吐水キャップ１４０の接続部を浄化カートリッジ１５０の中心より弁操作ハンドル１３０方向にずらす方が好ましく、その結果、弁操作ハンドル１３０によって見え難かった吐水状態を目視しやすくなる。
また、第１実施形態および第２実施形態において、給水管２０は水道水栓の下部で接続するように構成したが、上部に給水管２０の接続部がある水道水栓に接続するために、湾曲部Ｃの水道水栓接続側を下向きに構成しても何ら差し支えない。また、湾曲部Ｂ、Ｃは屈曲形状としても良い。
【００２８】
図７〜図８および図１１、図１４により、流路切替機構である切替弁７０、および弁操作ハンドル３０の構成および機能について説明する。切替弁７０は、原水の流れを切替る弁７２を格納し、図１１に示すように、弁７２を支持する弁ケース７１と、弁パッキン７６を支持するパッキン押さえ７７と、弁７２と接続され、弁操作ハンドル３０の回動を弁７２に伝達する弁棒７４で構成される。弁操作ハンドル３０はネジ３２によって弁棒７４に固定されている。
【００２９】
図７、図８、図１４において、弁７２は、回転軸方向に開口４７Ａと、円筒面に回転軸を中心とした各々９０°の方向に２ヶ所の開口４７Ｂ、４７Ｃを有する。
原水を使用する場合は、図７、図１４に示すように、開口４７Ｂが塞がれ、開口４７Ｃが吐水口４１の方向を向いて開いているので、開口４７Ａから流入した原水は開口４７Ｃを通過しそのまま吐水口４１から吐水される。
【００３０】
図７に示す状態から弁操作ハンドル３０を９０°右方向へ回転させると、弁７２が弁操作ハンドル３０と連動して回転し、図８、図１４に示すように、開口４７Ｃが塞がれ開口４７Ｂが浄化カートリッジ５０への流入口の方向を向くようになる。
このとき、開口４７Ａから流入した原水は開口４７Ｂを通過し、上方に配置されている浄化カートリッジ５０内の活性炭ユニット５１および中空糸ユニット５２を通過した後、本体中心部を通過して吐水口４１から浄水として吐水される。
【００３１】
図９および図１０、図１５は、切替弁７０の他の実施形態を示している。
図９、図１０、図１５において、弁７５は、回転軸方向に開口４８Ａと、円筒面に回転軸を中心とした各々９０°方向に２ヶ所の開口４８Ｂ、４８Ｃを有する。この開口４８Ｂ、４８Ｃは、その開口広さが略３０°となるように形成されている。
原水を使用する場合には、図９、図１５に示すように、開口４８Ｂが塞がれ、開口４８Ｃが吐水口４１の方向を向いているので、開口４８Ａから流入した原水は開口４８Ｃを通過しそのまま吐水口４１から吐水される。
【００３２】
図９に示す状態から弁操作ハンドル３０を略６０°回転させると、弁７５が弁操作ハンドル３０と連動して回転し、図１０、図１５に示すように、開口４８Ｃが塞がれ、開口４８Ｂが浄化カートリッジ５０への流入口の方向を向くようになる。
このとき、開口４８Ａから流入した原水は開口４８Ｂを通過し、上方に配置されている浄化カートリッジ５０内の活性炭ユニット５１および中空糸ユニット５２を通過した後、本体中心部を通過して吐水口４１から浄水として吐水される。弁操作ハンドル３０と弁７５を上記の構成とすることにより、弁操作ハンドル３０を操作する際の回転角度が９０°より小さく、略６０°であっても、原水と浄水の切替を行うことができる、
このように、切替操作時の弁操作ハンドル３０の回転角を小さくすることができ、操作性を向上することができる。
さらに、図６に示すように弁操作ハンドル１３０を正面に配置した構成の浄水器において、弁操作ハンドル１３０に操作用レバーを回転軸に対して相対位置に別の操作用レバーを設けた場合、水道水栓に向かって左側の操作用レバーを下向きに押すと原水、右側に上がった操作用レバーを下向きに押すと浄水が吐水され、押す操作のみで切替が可能となり、さらに操作性を簡便にすることができる。
【００３３】
なお、以上の説明において、弁操作ハンドル３０の回転方向に対する開口４７Ｂ、４７Ｃおよび４８Ｂ、４８Ｃの角度や、開口４７Ａ、４７Ｂ、４７Ｃおよび４８Ａ、４８Ｂ、４８Ｃの開口広さ、開口数の数値は一例であって、これに限定されるものではない。使用の状況に応じて、これらの数値を適宜変更することによって、切替操作時の弁操作ハンドル３０の回転角を任意に設定することができる。
なお、本発明においては、原水と浄水を同一の吐水口から吐水するよう構成したが、別々の吐水口から吐水するようにしても何ら差し支えない。
また、本実施形態においては、原水と浄水を同一の吐水口から吐水するように構成したが、その際、吐水キャップ４０、１４０を少なくとも吐水をシャワー状にする切替機構を備えた場合、吐水キャップ４０、１４０のシャワー状に吐水させるための孔径を通常より小さく（例えばΦ１以下）しておけば原水より流量の少ない浄水でも勢いのあるシャワー状の吐水が使用できる。
また、本実施形態においては、浄水カートリッジ５０を本体１２上方に縦向きに配置したが、本体１２上方に横向き、本体後方に横向きなど使用者から見たときの投影面積を小さくできれば、配置する場所や方向は限定されるものではない。
また、水道水栓と接続するための袋ナット６０、１６０、ストッパ６２、１６２は取替え前の給水管に取り付いていたものを使用するようにすれば廃材の発生を抑えることができる。
また、図１２に示すような水道水栓に浄水器が接続された状態のものであれば、水道水栓を新設する場合は、まるごと取付けることが可能となり、その際、浄水器のみを取り替える場合に発生する給水管の廃棄を無くすことが可能になる。
【００３４】
【発明の効果】
以上説明したように、本発明によると、以下の効果を奏することができる。
（１）浄水器の本体と給水管とを連結し、給水管に浄水器をあらかじめ強固に取付けていることにより、浄水器がぐらついたり、緩んで漏水に至るようなことを防止することができる。
【００３５】
（２）本体と連結される側の給水管先端が、本体の内部に挿入されて、本体と給水管とが接続されていることにより、凹凸を少なくして、汚れが溜まるのを防止することができる。また、掃除がしやすく、外観上も優れた構造とすることができる。
【００３６】
（３）給水管は、水道水栓から原水を流入する流入口近傍で湾曲させた第一湾曲部と、本体との連結部近傍で湾曲させた第二湾曲部とを有し、第二湾曲部近傍の水平部を本体と連結し、第二湾曲部を第一湾曲部より上方に位置させて、本体を水道水栓より高い位置に配置したことにより、洗い物をするための空間を広くとることができ、作業性が向上する。
【００３７】
（４）少なくとも第一湾曲部近傍及び第二湾曲部近傍において、給水管の管厚を厚くしたことにより、給水管、本体、浄化カートリッジの自重、操作ハンドルによる流路切替操作時、および浄化カートリッジ交換時にかかる荷重によって応力集中する部分の強度を向上することができる。
【００３８】
（５）浄化カートリッジを給水管の軸上に配置したことにより、給水管の側方へ浄化カートリッジが出っ張ることを抑えることができるため、浄水器を使用する際に、使用者から見たときの浄水器の投影面積を小さくすることができ、視界を確保しやすい。
【００３９】
（６）操作ハンドルが、水道水栓の操作側から見て前記本体の正面に設けられていることにより、右利き使用者のみならず左利き使用者に対しても、切替が容易に行えるため、操作性が向上する。
【００４０】
（７）操作ハンドルは９０°未満の回転角で流路の切替を行うようにしたことにより、操作ハンドルを少ない回転角度で切替ることが可能となるため、操作性が向上する。
【００４１】
（８）本体とカバーとを一体成形したことによって、一体成形により組立工数の削減および部品点数が削減できるため、コストの削減が可能である。
また、複数のカバーで構成した場合に比べ、カバーとカバーの合わせ部の接合部のラインがなくなりデザイン性および品位が向上する。
【図面の簡単な説明】
【図１】本発明の第１実施形態における浄水器の外観図である。
【図２】本発明の第１実施形態における浄水器の分解図である。
【図３】本発明の第１実施形態における浄水器の全体断面図である。
【図４】本発明の第２実施形態における浄水器の外観図である。
【図５】本発明の第２実施形態における浄水器の分解図である。
【図６】本発明の第２実施形態における浄水器の全体断面図である。
【図７】本発明の実施の形態における原水使用時の弁の動作説明図である。
【図８】本発明の実施の形態における浄水使用時の弁の動作説明図である。
【図９】本発明の実施の形態における原水使用時の弁の動作説明図である。
【図１０】本発明の実施の形態における浄水使用時の弁の動作説明図である。
【図１１】本発明の実施の形態における流水切替機構の動作説明図である。
【図１２】本発明の実施の形態における湯水混合水栓への取付け状態図である。
【図１３】本発明の実施の形態における給水管の形状説明図である。
【図１４】図７におけるＤ−Ｄ断面図である。
【図１５】図９におけるＥ−Ｅ断面図である。
【符号の説明】
１、２  浄水器
１０  前カバー
１１  後カバー
１２、１１２  本体
１３  吐水継手
２０  給水管
２２、１２２  ネジ
３０、１３０  弁操作ハンドル
３１、１３１  蓋
３２  ネジ
３３、１３３  弁押え
４０、１４０  吐水キャップ
４１、１４１  吐水口
４７、４７Ａ、４７Ｂ、４７Ｃ  開口
４８、４８Ａ、４８Ｂ、４８Ｃ  開口
５０、１５０  浄化カートリッジ
５１  活性炭ユニット
５２  中空糸ユニット
６０、１６０  袋ナット
６１、１６１  パッキン
６２、１６２  ストッパ
７０、１７０  切替弁
７２、７５  弁
７１  弁ケース
７４  弁棒
７６  弁パッキン
７７  パッキン押さえ
【図１】
2004237255.tif 000003
【図２】
2004237255.tif 000004
【図３】
2004237255.tif 000005
【図４】
2004237255.tif 000006
【図５】
2004237255.tif 000007
【図６】
2004237255.tif 000008
【図７】
2004237255.tif 000009
【図８】
2004237255.tif 000010
【図９】
2004237255.tif 000011
【図１０】
2004237255.tif 000012
【図１１】
2004237255.tif 000013
【図１２】
2004237255.tif 000014
【図１３】
2004237255.tif 000015
【図１４】
2004237255.tif 000016
【図１５】
2004237255.tif 000017